(57)【要約】【課題】  内容物が無包装やフィルム包装の薄葉紙積層体である場合に、内容物の詰め替えの際に積層体中にディスペンサーの組立てフラップを差込んでしまい積層体を崩してしまったり、組立てフラップが積層体の内側に入り込んでしまったりする不具合を解消し、簡単な構造で組立てができ、詰め替えも容易なディスペンサーを提供することを目的とする。【解決手段】  ケースに組立て使用される折畳み式一体型の薄葉紙ディスペンサーにおいて、該ディスペンサーのケース側面部に組立て用フラップを備えると共に該ディスペンサーのケース底面部上に該底面部との間に上記の組立て用フラップを挿入保持するための帯状ないしは面状のシート部材を添設し、かつこのシート部材は前記の組立て用フラップの先端を該シート部材下に案内誘導するための辺縁部を残して底面部内方位置に取付けされていることを特徴とする衛生薄葉紙のディスペンサー。【選択図】  図２
2005053534.tif 000002
【特許請求の範囲】
【請求項１】
ケースに組立て使用される折畳み式一体型の薄葉紙ディスペンサーにおいて、該ディスペンサーのケース側面部に組立て用フラップを備えると共に該ディスペンサーのケース底面部上に該底面部との間に上記の組立て用フラップを挿入保持するための帯状ないしは面状のシート部材を添設し、かつこのシート部材は前記の組立て用フラップの先端を該シート部材下に案内誘導するための辺縁部を残して底面部内方位置に取付けされていることを特徴とする衛生薄葉紙のディスペンサー。
【請求項２】
帯状ないし面状のシート部材が可撓性の肉厚部材からなり、このシート部材とディスペンサーの底面部との間に組立て用フラップを挿入する隙間を持たせた請求項１記載のディスペンサー。
【請求項３】
帯状ないし面状のシート部材が左右の組立てフラップに夫々対応する左右対の帯状シート部材であるかまたは左右の組立てフラップに対応する左右一体の面状シート部材である
請求項１または請求項２記載のディスペンサー。
【請求項４】
帯状ないし面状のシート部材は内容物の薄葉紙積層体下面に接する上面は平滑性が高く、組立てフラップが接触する下面は該組立てフラップが抜けにくいよう粗面とされている１枚あるいは２枚の貼り合わせシートからなる請求項１から３までのいずれか１項記載のディスペンサー。
【請求項５】
帯状ないし面状のシート部材はケース底面部の端縁から３〜１０mm内側に付設されている請求項１から４までのいずれか１項記載のディスペンサー。
【請求項６】
薄葉紙取出口をあけた天面部と前面部と底面部と前記の天面部へと続く後面部とが折曲げ線を介して前後に順次一連に接続されかつ天面部の左右に折曲げ線を介して左右の側面部が接続され、これら左右の側面部の各下端縁に折曲げ線を介して組立て用フラップが取付けられていて、ケースに組立て使用される折畳み式一体型である請求項１から５までのいずれか１項記載のディスペンサー。
【請求項７】
ティシュ、タオルなどの積層体を無包装またはフィルム包装の状態で帯状ないし面状のシート部材上に載せて収容する請求項１から６までのいずれか１項記載のディスペンサー。
【請求項８】
無包装またはフィルム包装の薄葉紙積層体をディスペンサーに詰め替えの際に組立て用フラップが薄葉紙積層体を崩したり、積層体中に入り込むのを防止している請求項１から７までのいずれか１項記載のディスペンサー。
【発明の詳細な説明】
【技術分野】
【０００１】
本発明はティシュ、タオルなどの積層体を収納するディスペンサーに関する。
【背景技術】
【０００２】
昨今、省資源化を志向して、紙箱を使わずフィルム包装あるいは帯巻きしたティシュペーパーが注目を得ている。これらは、プラスチックや紙製の組立式のディスペンサーに収めて使用されることが多いが、該ディスペンサーは、紙箱を収納することを想定しており、内容物が無包装やフィルム包装の場合には、詰め替えの際に積層体中にディスペンサーのフラップを差込んでしまい積層体を崩してしまったり、フラップ部が内側に入り込んでしまったりすることがあった。簡便な構造で組立ができ、詰め替えも容易なディスペンサーが望まれていた。
【０００３】
箱入り乃至袋入り紙状物を内装する容器本体の要所にヒンジを設けることで折り畳み自在に形成し、該容器本体の口部に取り出口を備えた蓋体を着脱自在に嵌合させた紙状物を収納する容器が知られている（特許文献１）。
【０００４】
また、ティッシュボックスカバーにおいて、ティッシュボックスを下方から出し入れ自在とするべく収納部の下方を開放状とし、側板の内側方に、ティッシュボックスを弾性的に挟持する挟持片を設けるティッシュボックスカバーが知られている（特許文献２）。
【０００５】
【特許文献１】特開２０００−９５２４２公報
【特許文献２】特開平０７−３１５４５７公報
【発明の開示】
【発明が解決しようとする課題】
【０００６】
本発明は内容物が無包装やフィルム包装の薄葉紙積層体である場合に、内容物の詰め替えの際に積層体中にディスペンサーの組立てフラップを差込んでしまい積層体を崩してしまったり、組立てフラップが積層体の内側に入り込んでしまったりする不具合を解消し、簡単な構造で組立てができ、詰め替えも容易なディスペンサーを提供することを目的とする。
【課題を解決するための手段】
【０００７】
本発明は、ケースに組立て使用される折畳み式一体型の薄葉紙ディスペンサーにおいて、該ディスペンサーのケース側面部に組立て用フラップを備えると共に該ディスペンサーのケース底面部上に該底面部との間に上記の組立て用フラップを挿入保持するための帯状ないしは面状のシート部材を添設し、かつこのシート部材は前記の組立て用フラップの先端を該シート部材下に案内誘導するための辺縁部を残して底面部内方位置に取付けされていることを特徴とする衛生薄葉紙のディスペンサーに関する。
【０００８】
また本発明は上記において帯状ないし面状のシート部材が可撓性の肉厚部材からなり、このシート部材とディスペンサーの底面部との間に組立て用フラップを挿入する隙間を持たせたディスペンサーを包含する。
【０００９】
また本発明は上記において帯状ないし面状のシート部材が左右の組立てフラップに夫々対応する左右対の帯状シート部材であるかまたは左右の組立てフラップに対応する左右一体の面状シート部材であるディスペンサーを包含する。
【００１０】
また本発明は上記において帯状ないし面状のシート部材は内容物の薄葉紙積層体下面に接する上面は平滑性が高く、組立てフラップが接触する下面は該組立てフラップが抜けにくいよう粗面とされている１枚あるいは２枚の貼り合わせシートからなるディスペンサーを包含する。
【００１１】
また本発明は上記において帯状ないし面状のシート部材はケース底面部の端縁から３〜１０mm内側に付設されているディスペンサーを包含する。
【００１２】
また本発明は上記において薄葉紙取出口をあけた天面部と前面部と底面部と前記の天面部へと続く後面部とが折曲げ線を介して前後に順次一連に接続されかつ天面部の左右に折曲げ線を介して左右の側面部が接続され、これら左右の側面部の各下端縁に折曲げ線を介して組立て用フラップが取付けられていて、ケースに組立て使用される折畳み式一体型であるディスペンサーを包含する。
【００１３】
また本発明は上記においてティシュ、タオルなどの積層体を無包装またはフィルム包装の状態で帯状ないし面状のシート部材上に載せて収容するディスペンサーを包含する。
【００１４】
また本発明は上記において無包装またはフィルム包装の薄葉紙積層体をディスペンサーに詰め替えの際に組立て用フラップが薄葉紙積層体を崩したり、積層体中に入り込むのを防止しているディスペンサーを包含する。
【発明の効果】
【００１５】
ティッシュ等の包装の有無に関わらず、フラップによる内容物の押し込みなどによる取出し性への影響がないディスペンサーが得られる。また詰め替えも容易である。従来に比べ短いフラップでも、フラップが確実に固定され、ディスペンサーの保形性が向上する。
【発明を実施するための最良の形態】
【００１６】
プラスチック等のシートからなる折畳式一体型の衛生薄葉用ディスペンサーにおいて、可撓性の肉厚部材を、この部材と底面の間に、組立て用フラップを挿入する隙間を持たせる様にディスペンサー左右両端から所定間隔を開けて固定する。
【００１７】
肉厚部材は、厚さ１００μ〜１mmで好ましくは３００μ程度の可撓性シートで、合成樹脂製フィルムや合成樹脂シートから選ばれる。内容物に接する上面は平滑性が高く、下面は、フラップが抜けにくいよう粗面とする。あるいは２枚のシートの貼り合わせでも良い。
【００１８】
可撓性シートは、ケースの端縁から３mm〜１０mm内側に付設することによりフラップが入れやすくなる。また可撓性シートの端縁は曲線状としても良い。可撓性シートは１枚あるいは、両フラップ部２枚でもよい。
【実施例１】
【００１９】
図１はディスペンサーの斜視図を示し、薄葉紙取出口（１）をあけた天面部（２）と前面部（３）と底面部（４）と前記の天面部（２）へと続く後面部（５）とが折曲げ線（６）を介して前後に順次一連に接続されかつ天面部（２）の左右に折曲げ線（６）を介して左右の側面部（７）（８）が接続され、これら左右側面部（７）（８）の各下端縁に同じく折曲げ線を介して左右の組立て用フラップ（９）が取付けられている。これらはプラスチック等のシートからなりケースに組立て使用される折畳み式一体型となっている。上記のディスペンサーの底面部（４）上にはこの底面部（４）との間に組立て用フラップ（９）を挿入保持するための可撓性シート（１０）が添設されているが、このシート（１０）は前後端縁を底面部（４）上の折曲げ線（６）に沿って固定する。このシート（１０）はシート（１０）と底面部（４）との間に組立て用フラップ（９）を挿入する隙間を持たせるように底面部の左右両側から所々間隔（ｔ）を開けて取付けられているが、上記の所定間隔（ｔ）は前記の組立て用フラップ（９）の先端をシート（１０）下の隙間に専内誘導するための辺縁部を残すように設定されるが、通常は３mm〜１０mm程度の幅が好ましい。
【００２０】
図２および図３はディスペンサーの一部切欠正面図および側面図を示し、図２はディスペンサー内部に無包装の薄葉紙積層体（１１）を収容し、右側面部（７）を閉じようとする状態を示している。図２に示すように天面部（２）、前面部（３）、底面部（４）および後面部（５）を箱型に起こし左側面部（８）の組立て用フラップ（９）をシート（１０）と底面部（４）との間の隙間に差込み挿入し左側面部（８）を閉じた状態で、点線位置にある右側面部（７）の組立て用フラップ（９）を矢印方向に実線位置の内側方向へ折り込み、この状態で右側面部（７）を矢印方向に閉じるときに所定間隔（ｔ）のフラップ（９）の先端誘導辺縁の存在によりフラップ（９）はシート（１０）と底面部（４）との間の隙間に円滑かつ確実に導入される。
【００２１】
これに対しシート（１０）および所定間隔（ｔ）を有しない従来のディスペンサーの場合には図５に示すように側面部（７）を閉じたときにその組立て用フラップ（９）が薄葉紙積層体（１１）中に入り込んだり積層体（１１）の荷姿を崩すおそれが多発する。
【００２２】
図４はディスペンサーを折り畳んだ状態図で箱型に容易に組立てることができる扁平状の一体型に折り畳むことができる。
【００２３】
図６−１、６−２は可撓性シート（１０）を例示した平面図で図６−１は一枚物の可撓性シートの例で上面（表面）は平滑性が高く、下面（裏面）は高摩擦の粗面となっている。図６−２は複合物の可撓性シートの例で、平面樽型の裏面シート上に同型の表面シートが貼着されている。
【図面の簡単な説明】
【００２４】
【図１】ディスペンサー斜視図
【図２】ディスペンサー正面図（一部内部）
【図３】ディスペンサー側面図
【図４】ディスペンサーの折り畳んだ状態図
【図５】従来のディスペンサーの説明図
【図６−１】可撓性シートの平面図である一枚物の可撓性シート
【図６−２】可撓性シートの平面図である複合物の可撓性シート
【符号の説明】
【００２５】
１……薄葉紙の取出し口
２……天面部
３……前面部
４……底面部
５……後面部
６……折曲げ線
７……側面部
８……側面部
９……組立てフラップ
10……可撓性シート
11……薄葉紙の積層体
ｔ……間隔
【図１】
2005053534.tif 000003
【図２】
2005053534.tif 000004
【図３】
2005053534.tif 000005
【図４】
2005053534.tif 000006
【図５】
2005053534.tif 000007
【図６−１】
2005053534.tif 000008
【図６−２】
2005053534.tif 000009